【手続補正書】
【提出日】平成18年11月22日(2006.11.22)
【手続補正１】
【補正対象書類名】特許請求の範囲
【補正対象項目名】全文
【補正方法】変更
【補正の内容】
【特許請求の範囲】
【請求項１】
視聴履歴に対応したユーザプロファイルを有する視聴者に対するビデオコンテンツについてのレコメンデーションを生成する方法であって、
他のユーザの視聴履歴に対応した少なくとも１つの他のユーザプロファイルにアクセスする工程と、
前記少なくとも１つの他のユーザプロファイルの一部を前記視聴者のユーザプロファイルと合成して合成ユーザプロファイルを作成する工程と、
前記合成ユーザプロファイルに基づいてビデオコンテンツについてのレコメンデーションを決定する工程と、を有することを特徴とする方法。
【請求項２】
請求項１記載の方法であって、
前記アクセスする工程は、前記他のユーザが通信チャネルを通じて前記少なくとも１つの他のユーザプロファイルへの少なくとも部分的なアクセスを提供することを含む、ことを特徴とする方法。
【請求項３】
請求項２記載の方法であって、
前記視聴者の前記少なくとも１つの他のユーザプロファイルへのアクセスは限定的なものであり、
前記合成する工程は、前記他のユーザが前記視聴者のユーザプロファイルと合成することが可能な前記少なくとも１つの他のユーザプロファイルの一部を指定することを含む、ことを特徴とする方法。
【請求項４】
請求項２記載の方法であって、
前記視聴者は、前記少なくとも１つの他のユーザプロファイルの一部より多くの部分へアクセスでき、
前記合成する工程は、前記視聴者が該視聴者のユーザプロファイルと合成される前記少なくとも１つの他のユーザプロファイルの一部を指定することを含む、ことを特徴とする方法。
【請求項５】
請求項２記載の方法であって、
前記合成する工程は、所定の基準に従って、前記視聴者のユーザプロファイルを前記少なくとも１つの他のユーザプロファイルの一部と自動的に合成することを含む、ことを特徴とする方法。
【請求項６】
請求項５記載の方法であって、
前記所定の基準は、前記少なくとも１つの他のユーザプロファイルのうち前記視聴者のユーザプロファイルに存在しない部分を該視聴者のユーザプロファイルに加えることを含む、ことを特徴とする方法。
【請求項７】
請求項１記載の方法であって、
前記合成する工程の前に前記少なくとも１つの他のユーザプロファイルの一部のうちの少なくとも一部に重み付けを行って、重み付けされた合成ユーザプロファイルを作成する工程を更に有し、
前記決定する工程は、前記重み付けされた合成ユーザプロファイルに基づいてビデオコンテンツについてのレコメンデーションを決定する、ことを特徴とする方法。
【請求項８】
請求項１記載の方法であって、
前記アクセスする工程は、
所定の特徴に従って前記少なくとも１つの他のユーザプロファイルをリクエストするサブ工程と、
前記リクエストに対する少なくとも１つの応答を受信するサブ工程と、
前記所定の特徴に基づいて少なくとも１つの応答を選択するサブ工程とを有する、ことを特徴とする方法。
【請求項９】
請求項８記載の方法であって、
前記受信するサブ工程は、前記少なくとも１つの他のユーザプロファイルの使用対価を要求することを含み、
前記選択するサブ工程は、前記所定の特徴及び前記対価に基づいて前記少なくとも１つの応答を選択することを含む、ことを特徴とする方法。
【請求項１０】
視聴履歴に対応したユーザプロファイルを有する視聴者に対するビデオコンテンツについてのレコメンデーションを生成する装置であって、
他のユーザの視聴履歴に対応した少なくとも１つの他のユーザプロファイルにアクセスする通信手段と、
前記少なくとも１つの他のユーザプロファイルの一部を前記視聴者のユーザプロファイルと合成して合成ユーザプロファイルを作成するプロセッサと、
前記合成ユーザプロファイルに基づいてビデオコンテンツについてのレコメンデーションを決定するレコメンダーと、を有することを特徴とする装置。
【請求項１１】
請求項１０記載の装置であって、
ユーザインターフェースを更に有し、
前記視聴者は、
前記少なくとも１つの他のユーザプロファイルの一部より多くの部分へアクセスでき、
前記視聴者のユーザプロファイルと合成される前記少なくとも１つの他のユーザプロファイルの一部を前記ユーザインターフェースを通じて指定する、ことを特徴とする装置。
【請求項１２】
請求項１０記載の装置であって、
所定の基準に従って、前記視聴者のユーザプロファイルを前記少なくとも１つの他のユーザプロファイルの一部と自動的に合成する手段を更に有する、ことを特徴とする装置。
【請求項１３】
請求項１２記載の装置であって、
前記所定の基準に従って前記視聴者のユーザプロファイルを前記少なくとも１つの他のユーザプロファイルの一部と自動的に合成する手段は、前記プロセッサを含む、ことを特徴とする装置。
【請求項１４】
請求項１２記載の装置であって、
前記所定の基準は、前記少なくとも１つの他のユーザプロファイルのうち前記視聴者のユーザプロファイルに存在しない部分を該視聴者のユーザプロファイルに加えることを含む、ことを特徴とする装置。
【請求項１５】
請求項１０記載の装置であって、
前記少なくとも１つの他のユーザプロファイルの一部のうちの少なくとも一部に重み付けを行って、重み付けされた合成ユーザプロファイルを作成するユーザインターフェースを更に有し、
前記レコメンダーは、前記重み付けされた合成ユーザプロファイルに基づいてビデオコンテンツについてのレコメンデーションを決定する、ことを特徴とする装置。
【請求項１６】
請求項１０記載の装置であって、
前記通信手段は、
所定の特徴に従って前記少なくとも１つの他のユーザプロファイルを要求するリクエストを送信する手段と、
前記リクエストに対する少なくとも１つの応答を受信する手段と、
前記所定の特徴に基づいて少なくとも１つの応答を選択するユーザインターフェースとを有する、ことを特徴とする装置。
【請求項１７】
請求項１６記載の装置であって、
前記少なくとも１つの応答と共に前記少なくとも１つの他のユーザプロファイルの使用対価も受信され、
前記ユーザインターフェースは、前記所定の特徴及び前記対価に基づいて前記少なくとも１つの応答を選択する手段を含む、ことを特徴とする装置。
【請求項１８】
機械によって読み取り可能であり、該機械によって実行されたときに視聴履歴に対応したユーザプロファイルを有する視聴者に対するビデオコンテンツについてのレコメンデーションを生成する方法を実行する命令群から成るプログラムを有形的に具現化した、プログラム記憶装置であって、
前記方法は、
他のユーザの視聴履歴に対応した少なくとも１つの他のユーザプロファイルにアクセスする工程と、
前記少なくとも１つの他のユーザプロファイルの一部を前記視聴者のユーザプロファイルと合成して合成ユーザプロファイルを作成する工程と、
前記合成ユーザプロファイルに基づいてビデオコンテンツについてのレコメンデーションを決定する工程とを有する、ことを特徴とするプログラム記憶装置。
【請求項１９】
コンピュータによって実行されたときに、該コンピュータに、視聴履歴に対応したユーザプロファイルを有する視聴者に対するビデオコンテンツについてのレコメンデーションを生成させる、コンピュータ読み取り可能プログラムであって、
前記コンピュータによって実行されたときに、該コンピュータを、
他のユーザの視聴履歴に対応した少なくとも１つの他のユーザプロファイルにアクセスする手段、
前記少なくとも１つの他のユーザプロファイルの一部を前記視聴者のユーザプロファイルと合成して合成ユーザプロファイルを作成する手段、及び、
前記合成ユーザプロファイルに基づいてビデオコンテンツについてのレコメンデーションを決定する手段、として機能させることを特徴とするコンピュータ読み取り可能プログラム。